(57)【特許請求の範囲】
【請求項１】
ユーザが対象物の拡大画像を観察することを可能にするための拡大機アセンブリであって、
面に対して支持されるように構成されている下部ベースを備えるスタンドであって、第１の上端部と第２の上端部とを有する本体部をさらに備え、ハンドルが前記スタンドの前記第１の上端部と前記第２の上端部との間に延び、前記スタンドの前記第１の上端部と前記第２の上端部とを架橋しており、前記ハンドルはＵ字状のトラフを形成している、スタンドと、
前部表面と後部表面とを有するモニタであって、前記モニタの後部は前記スタンドに対して着脱可能に接続されており、前記モニタの前部は画像を表示するためのスクリーンを備える、モニタと、
フレキシブル・カメラアームによって前記スタンドに対して接続されているカメラであって、前記フレキシブル・カメラアームは、ヒンジを介して前記スタンドの前記第１の上端部に対して接続されている基端部を有し、前記フレキシブル・カメラアームは、前記カメラに旋回可能に接続されている先端部をさらに備え、前記ヒンジは、前記フレキシブル・カメラアームが前記モニタの前方に又は前記ハンドルの前記トラフ内に選択的に配置されることを可能にし、前記フレキシブル・カメラアームが前記トラフ内にあるとき、前記カメラが前記スタンドの前記第２の上端部に隣接するとともに、前記ハンドル及び前記フレキシブル・カメラアームの両方によって前記ユーザが前記拡大機アセンブリを運ぶことができる、カメラと、
一対のフレキシブル照明アームであって、各照明アームは、前記モニタの前記後部に対して接続されている基端部と、発光ダイオード（ＬＥＤ）を備える先端部とを有し、前記フレキシブル照明アームは、観察されている前記対象物を照明するように前記発光ダイオードが前記モニタの前方に適切に配置されることを可能にする、フレキシブル照明アームと、を備える、拡大機アセンブリ。
【請求項２】
拡大機アセンブリであって、
第１の端部と第２の端部とを有する本体部を備えるスタンドであって、ハンドルが前記スタンドの前記第１の端部と前記第２の端部との間に延び、前記スタンドの前記第１の端部と第２の端部とを相互接続している、スタンドと、
画像を表示するためのスクリーンを備えるモニタと、
カメラアームによって前記スタンドに対して接続されているカメラであって、前記カメラアームは、ヒンジを介して前記スタンドの前記第１の端部に対して接続されている基端部を有し、前記カメラアームは、前記カメラに対して接続されている先端部をさらに備え、前記ヒンジは、前記カメラアームが前記モニタの前方に又は前記ハンドルに沿って選択的に配置されることを可能にし、前記カメラアームが前記ハンドルに沿っているとき、前記カメラが前記スタンドの前記第２の端部に隣接するとともに、前記ハンドル及び前記カメラアームの両方によってユーザが前記拡大機アセンブリを運ぶことができる、カメラと、を備える、拡大機アセンブリ。
【請求項３】
前記モニタは前部表面と後部表面とを有しており、前記モニタの後部は前記スタンドに対して着脱可能に接続されており、それによって前記モニタが取り外されること、交換されること、又は修理されることを可能とする、請求項２に記載の拡大機アセンブリ。
【請求項４】
前記モニタに対して接続されている基端部と発光ダイオード（ＬＥＤ）を備える先端部とを有するフレキシブル照明アームをさらに備え、前記フレキシブル照明アームは、観察されている対象物を照明するように前記発光ダイオードが前記モニタの前方に適切に配置されることを可能にする、請求項２に記載の拡大機アセンブリ。
【請求項５】
２つの照明アームを備える、請求項４に記載の拡大機アセンブリ。
【請求項６】
前記スタンドは面に対して支持されるように構成されている下部ベースをさらに備える、請求項２に記載の拡大機アセンブリ。
【請求項７】
前記ハンドルはＵ字状のトラフを形成し、前記カメラアームは前記Ｕ字状のトラフ内に受け入れられるように寸法を決定されている、請求項２に記載の拡大機アセンブリ。
【請求項８】
前記カメラは前記カメラアームの前記先端部に旋回可能に接続されている、請求項２に記載の拡大機アセンブリ。
【請求項９】
前記カメラアームはフレキシブルである、請求項８に記載の拡大機アセンブリ。
【請求項１０】
拡大機アセンブリであって、
右側部分と左側部分とを備える、スタンドと、
前記右側部分と前記左側部分とを架橋するトラフを有するハンドルと、
画像を表示するためのスクリーンを備えるモニタと、
カメラアームによって前記スタンドに対して接続されているカメラであって、前記カメラアームは、ヒンジを介して前記スタンドに対して接続されている基端部を有し、前記カメラアームは、前記カメラに対して接続されている先端部をさらに備え、前記ヒンジは、前記カメラアームが前記モニタの前方に又は前記ハンドルの前記トラフ内に選択的に配置されることを可能にし、
前記カメラアームが前記トラフ内にあるとき、前記ハンドル及び前記カメラアームの両方によってユーザが前記拡大機アセンブリを運ぶことができる、カメラと、を備える、拡大機アセンブリ。
【発明の詳細な説明】
【技術分野】
【０００１】
本開示はビデオ拡大機に関する。より詳細には、本開示は、運搬を容易とするためのハンドルを有するビデオ拡大機に関する。
【背景技術】
【０００２】
ビデオ拡大機は、盲（もう）及び／又はロービジョン（「ＢＬＶ」）のユーザにとって重要な道具である。この装置では、関連するカメラを配置すること及び所望のレベルの倍率を選択することによって、ＢＬＶユーザが対象物及び／又は文章を観察することが可能になる。また、色のコントラスト化及び画像回転も、容易な観察のために提供されることができる。ビデオ拡大機は、典型的には、カメラ及び関連するモニタを備える。カメラは、多くの場合、観察される対象物の上に配置されることが可能なアームに対して取り付けられる。Ｘ−Ｙテーブルを、観察されている対象物を支持するために、カメラの下に配置することができる。ユーザは、カメラが対象物に整合するであろうように、このテーブルをＸ−Ｙ方向に動かす事ができる。分離したコントローラが、倍率レベル、スクリーン上での画像の位置、コントラスト、及びその他の画像特徴を変更するために使用される。
【発明の概要】
【発明が解決しようとする課題】
【０００３】
ビデオ拡大機は、典型的には、永続的に卓上又は机上に存在するように設計されている。ビデオ拡大機の可搬性は、しばしば問題となることが分かっている。多くのビデオ拡大機は、保管及び運搬のために少なくとも部分的に又は完全に分解される必要がある。見ることができるユーザにとってさえ、これは全く理想的な解決法ではない。これは、多くの場合に分解／組立工程を実行することのできないＢＬＶユーザにとって、とりわけ問題となる解決法である。真にポータブルなビデオ拡大機を提供するために、年来の努力がなされている。しかし、これらのポータブル拡大機は、典型的には、より小さな低解像度のカメラを使用する。他のポータブル拡大機カメラはハンドヘルドであるように設計されており、これは、対象物を観察中にユーザが両手を自由にする必要がある場合に問題となり得る。
【課題を解決するための手段】
【０００４】
したがって、必要とされるのは、運搬可能であり且つ高解像度カメラを用いる卓上ビデオ拡大機カメラである。このビデオ拡大機は、既存のビデオ拡大機にあるこれらの及び他の欠点を補うように設計されている。
【図面の簡単な説明】
【０００５】
【図１】本開示の拡大機の斜視図。
【図２】本開示の拡大機カメラの正面図。
【図３】本開示の拡大機カメラの側面図。
【図４】展開姿勢にある本開示の拡大機カメラのさらなる斜視図。
【図５】収縮姿勢にある本開示の拡大機カメラのさらなる斜視図。
【発明を実施するための形態】
【０００６】
本開示により、ポータブルな卓上ビデオ拡大機が提供される。
本開示のシステムは、いくつかの重要な利点を有する。例えば、ビデオ拡大機は、可搬性を犠牲にすることなく高精細度カメラを使用する。
【０００７】
別の利点は、卓上の使用のために設計されているにも拘らず盲及び／又はロービジョン
のユーザによって容易に運搬可能であるビデオ拡大機を提供することによって実現される。
【０００８】
さらなる可能な利点は、フレキシブル且つ旋回可能であり、収縮姿勢及び展開姿勢を有するカメラアームを用いることによって達成される。
さらに別の可能な利点は、卓上ビデオ拡大機にキャリーハンドルを提供することによって達成される。
【０００９】
別の利点は、収縮姿勢においてキャリーハンドルの一部を形成する旋回可能なカメラアームを提供することによって達成される。
さらに別の利点は、右利き又は左利きのユーザによる使用のためにビデオ拡大機カメラの簡単な変換を可能にすることによって提供される。
【００１０】
本発明の様々な実施形態は、これらの利点のうちのいずれも有していなくてもよく、いくつかを有していてもよく、又は全てを有していてもよい。本発明の他の技術的利点は、当業者にとって容易に明らかになるであろう。
【００１１】
ここで、本開示及びその利点のより完全な理解のため、添付の図面と共に以下の記載を参照する。
類似の参照符号は、いくつかの図面を通じて類似の部分を参照する。
【００１２】
本開示はビデオ拡大機に関する。特に、本開示は、ポータブルであるように設計される卓上ビデオ拡大機に関する。拡大機は、フレキシブルアームに対して取り付けられている高精細度カメラを備える。カメラアームは、ユーザがカメラを観察される対象物の上に適切に配置することを可能にするように回動及び旋回する。この装置は、スタンド及びベースによって支持されている。スタンドは、トラフを有するハンドルを備える。フレキシブルアームは、収縮配置にある装置によってトラフ内に受け入れられるように寸法を決定されている。本発明の様々な部品とこれらが相互に関連する方法とを、より詳細に後述する。
【００１３】
ここで図１を参照して、本開示のビデオ拡大機アセンブリ１０を示す。拡大機アセンブリ１０は、スタンド２０及び下部ベース２２によって支持されている。ベース２２は、卓上又は机上に配置されるように設計される。その結果、拡大機アセンブリ１０はハンドヘルドではない。これによって、装置を使用する間、盲又はロービジョンのユーザが自身の手を使用することが可能になる。図４及び図５において最も明確に示すように、スタンド２０は、右側部分２４と左側部分２６との両方を備える。ハンドル２８は、右側部分２４と左側部分２６とを架橋している。ハンドル２８は、その長さに沿って形成されているトラフ３２を備える。したがって、ハンドル２８はＵ字状の断面を有する。図４及び図５に示す特定の実施形態では、トラフ３２が右側部分２４へと延びる。しかし、アセンブリ１０が右利き又は左利きのユーザ用に構成されているか否かに応じて、トラフ３２は左側部分２６へと延びてもよい。
【００１４】
電源スイッチ３４及び電気プラグ３６が、スタンド２０に形成される。スタンド２０は、カメラ、ライト、及びモニタ用の電気コネクタ及び関連部品も収容することができる。カメラ及びモニタの様々な機能を制御するためのリモートコントローラ３８が提供される。例えば、リモートコントローラ３８は、カメラの倍率レベル、カメラのコントラスト、表示の配色、及びモニタ上での対象物の向きを制御することができる。リモートコントローラ３８は、照明を制御することもできる。一実施形態において、照明は、ユーザによって選択される倍率のレベルに応じて自動的に調節されてよい。
【００１５】
拡大される対象物の画像が、モニタ４２上に表示される。モニタ４２は、従来のＬＣＤモニタであってよい。これは、一連のディテント（図示せず）を介してスタンド２０に対して取り外し可能に固定されるように設計されている。したがって、モニタ４２は、修理又は交換のためにユーザによって取り外されることができる。図３を参照すると、モニタ４２は、好適には、旋回連結部４４を介してスタンド２０に対して固定されることが分かる。圧縮ワッシャが連結部４４内に備えられることができ、モニタ４２は、ユーザによって別に操作されない限りはその角度位置を維持する。圧縮ばね４６は、モニタ４２をほぼ直立の、すなわち、垂直な姿勢へと付勢するように、任意にモニタ４２とスタンド２０との間に備えられる。
【００１６】
対象物を観察するためにカメラ５２が備えられる。好適な実施形態において、カメラ５２は高解像度（水平線１０８０本の垂直解像度）アクティブライン・デジタルビデオカメラである。これによって、拡大ビデオ画像がモニタ４２に対して提供される。カメラ５２は、フレキシブル・カメラアーム５４を介して様々な向きに配置されることができる。アーム５４は、好適には、その全長に渡ってフレキシブルである。
【００１７】
ヒンジ・アセンブリ５６が、アーム５４のベースに備えられる。とりわけ、ヒンジ・アセンブリ５６は、ユーザが右利きであるか左利きであるかに応じてスタンド２０の右側部分２４又は左側部分２６の中に選択的に収容されることができる。図４では、スタンド２０の左側部分２６内に取り付けられているヒンジ・アセンブリ５６を示す。これは、右手のユーザによる使用に好適な位置である。すなわち、モニタ４２の前のユーザは、その右手を使用してカメラアーム５４を展開姿勢へと上向きに旋回させることができる。反対に、ヒンジ・アセンブリ５６は、左利きのユーザ用にスタンド２０の右側部分２４内に配置されてよい。右利き配置であるか左利き配置であるかの間の変更は、製造者によって又はエンドユーザによって行われることができる。
【００１８】
カメラ５２の完全な調節能力を可能にするために、ヒンジ・アセンブリ５６はスイベル及びピボットの両方を備える。スイベルによって、ほぼ垂直な軸のまわりをアーム５４が回転することが可能になる。アーム５４を回動させることによって、カメラ５２は、モニタ４２の前方又は側方の対象物の上に配置されることができる。ピボットによって、アームが収縮姿勢（図５）と展開姿勢（図４）との間で選択的に動くことが可能になる。更なるヒンジ５８が、カメラ５２がアーム５４に対して左右に動くことが可能になるように、カメラ５２とアーム５４との間に備えられる。図５に示すように、収縮姿勢において、アーム５４はトラフ３２内に配置される。この好適な実施形態では、トラフ３２はハンドル２８に沿って右側部分２４の中に延びている。完全に畳まれる場合、カメラ５２はモニタ４２の後ろ且つスタンド２０の側方に配置される。この配置において、ユーザは、ハンドル２８及びフレキシブルアーム５４の両方を把持することによってアセンブリ１０全体を運搬することができる。
【００１９】
この観察されている対象物用の照明は、２つのライト６２によって提供される。他の照明の使用も本開示の範囲内であるが、この好適な実施形態では、これらはＬＥＤである。フレキシブルアーム６４がモニタ４２の後ろに取り付けられており、必要に応じてライト６２を選択的に向ける際に使用される。ライト６２用の電力は、プラグ３６を介して外部のコンセントを通じて提供されることができる。
【００２０】
使用時に、ユーザは机上又は卓上にアセンブリ１０を配置することができる。プラグ３６が、アセンブリ１０を従来のコンセントに接続するために使用される。標準的な１２０ボルトの電源コンセントは、ライト６２、カメラ５２、及びモニタ４２に電力を供給するために十分である。次いで、スイッチ３４を介してユニットをオンにすることができる。ユーザは、その後、カメラアーム５４をトラフ３２から上向きに旋回させる。カメラは、
ヒンジ・アセンブリ５６内の回動によって配置されることができる。これによって、所望の対象物がモニタ４２の前方に配置されていても、隣に配置されていても、さらには後方に配置されていても、カメラ５２がその対象物の上に配置されることが可能になる。さらなる調節を、カメラ・ヒンジ５８を介して行うことができる。ユーザは、次いで、所望の倍率レベル、色のコントラスト、又は画像の向きを提供するためにリモートコントローラ３８を使用することができる。その後、ユーザは、モニタ４２上において拡大画像を自由に観察できる。ユーザは、対象物に必要な照明を提供するために、アーム６４を手動で操作することができる。完了すると、アセンブリ１０の電源を切ることができ、カメラアーム５４をトラフ３２の中に戻すように配置することができる。電源コードが取り外されると、ハンドル２８及びカメラアーム５４を把持することによってアセンブリ１０全体を運ぶことができる。
【００２１】
本開示では、所定の実施形態及び一般に関連する方法の観点により記載してきたが、その実施形態及び方法の改変及び変更は当業者にとって明らかである。したがって、例示的な実施形態の上記の記載は、本開示を定義又は制限しない。また、本開示の精神及び範囲から逸脱することなく、他の変形、置換、及び改変が可能である。
【符号の説明】
【００２２】
１０…カメラ・アセンブリ、２０…スタンド、２２…ベース、２４…スタンドの右部分、２６…スタンドの左部分、２８…ハンドル、３２…ハンドル・トラフ、３４…電源スイッチ、３６…プラグ、３８…リモートコントローラ、４２…モニタ、４４…モニタ用ヒンジ、４６…ばね、５２…カメラ、５４…カメラアーム、５６…カメラアーム・ヒンジ・アセンブリ、５８…カメラ用ヒンジ、６２…ＬＥＤライト
【図１】
0006636433.tif 000002
【図２】
0006636433.tif 000003
【図３】
0006636433.tif 000004
【図４】
0006636433.tif 000005
【図５】
0006636433.tif 000006